【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
撮像光学系により結像した被写体像を映像信号に変換する撮像手段と、
第１および第２の外部電源供給系統からの電源供給が可能な電源手段と、
を備え、
前記第１の外部電源供給系から電源供給された場合と前記第２の外部電源供給系から電源供給された場合とは、異なる制御モードで動作することを特徴とする撮像装置。
【請求項２】
外部電源供給系統を検出する検出手段を備え、該検出手段の検出結果に基づいて前記制御モードを設定することを特徴とする請求項１に記載の撮像装置。
【請求項３】
撮像光学系により結像した被写体像を映像信号に変換する撮像手段と、
複数の外部電源供給系からの電源供給が可能な電源手段と、
を備え、
電源供給する外部電源供給源が供給可能な最大電力情報を検出する最大電力検出手段と、
当該撮像装置の消費電力を機能別に分割した機能別消費電力情報を記憶する記憶手段と、
前記記憶手段の情報に基づいて、同時に実行させる機能を、前記最大電力検出手段から得られた最大電力を超えない範囲で選択または設定して当該撮像装置の動作を制御する制御手段と、
を備えることを特徴とする撮像装置。
【請求項４】
前記外部電源供給系統の１つはＰＯＥであることを特徴とする請求項１〜３のいずれか１つに記載の撮像装置。
【請求項５】
撮像光学系により結像した被写体像を映像信号に変換する撮像手段と複数の外部電源供給系からの電源供給が可能な電源手段とを備えた撮像装置と、
前記撮像装置の外部から該撮像装置の動作の制御を行なう制御装置と、
前記撮像装置と前記制御装置との間で情報通信を行なう情報通信手段と、
前記撮像装置の消費電力を機能別に分割した機能別消費電力情報を記憶する記憶手段と、を備え、
前記制御装置は、前記機能別消費電力情報に基づいて、前記撮像装置の操作制御を行なうことを特徴とする撮像システム。
【請求項６】
前記制御装置は、前記撮像装置に電源供給する外部電源供給源が供給可能な最大電力情報と前記機能別消費電力情報とに基づいて、前記撮像装置に同時に実行させる機能を、前記最大電力検出手段から得られた最大電力を超えない範囲で選択または設定して前記撮像装置の動作を制御することを特徴とする請求項５に記載の撮像システム。
【請求項７】
前記記憶手段は前記撮像装置に備えられ、前記撮像装置は前記情報通信手段を用いて前記機能別消費電力情報を前記制御装置へ通知することを特徴とする請求項５または６に記載の撮像システム。
【請求項８】
前記撮像装置は、前記機能別消費電力情報の伝送を、電源起動のときに行なうことを特徴とする請求項７に記載の撮像システム。
【請求項９】
前記撮像装置は、前記機能別消費電力情報の伝送を、前記制御装置からの転送要求に基づいて行なうことを特徴とする請求項７に記載の撮像システム。
【手続補正２】
【補正対象書類名】明細書
【補正対象項目名】０００１
【補正方法】変更
【補正の内容】
【０００１】
本発明は、ＰＯＥ（Ｐｏｗｅｒ  Ｏｖｅｒ  Ｅｔｈｅｒｎｅｔ（登録商標））の信号ケーブル等の信号伝達手段を介して電源を供給する、いわゆる電源重畳により電源供給される撮像装置および撮像システムに関するものである。
【手続補正３】
【補正対象書類名】明細書
【補正対象項目名】０００４
【補正方法】変更
【補正の内容】
【０００４】
ネットワークにおいてもＬＡＮケーブルを使ったＰＯＥ（Ｐｏｗｅｒ  Ｏｖｅｒ  Ｅｔｈｅｒｎｅｔ（登録商標））でカメラに電源供給できる方式が開発され、外部電源なしにカメラを駆動できるものが実用化されている。特に監視カメラの場合、外部電源が設置されていない屋外にも設置せねばならないために、電源重畳は単に配線等の煩わしさを解消するだけでなく、外部電源の設置費用も不要となり、市場での要望が高い。
一方で、監視カメラは多機能になり、ＡＦ（Ａｕｔｏ  Ｆｏｃｕｓ）や電動ズーム可能なレンズを搭載したものやパンおよびチルト駆動もできるものが実用化されている。
【手続補正４】
【補正対象書類名】明細書
【補正対象項目名】０００６
【補正方法】変更
【補正の内容】
【０００６】
また、特許文献１（特開２００２−１３１８０６号公報）に開示されているものはＵＳＢで電源供給が行なわれ、パン駆動およびチルト駆動は行なわれているものの、ＡＦやズームといった機能は無く、消費電力を極力押えるために像の歪みや画像を犠牲にしている。特許文献２（特開平８−２７９９５２号公報）で開示されているものはパンおよびチルトについて記述しているものの、雲台装置単体に関するもので、映像出力等については記述されていない。また、電池等による電源電圧が低下した場合について、記述したものである。
更に、特許文献３（特開２００２−２４４１９０号公報）には、カメラ本体に外部電源装置が接続された場合に電源の供給先を内蔵電池から外部電源装置に切り換えて、外部電源装置が接続されている場合にのみ動画表示を許可するようにしたカメラが開示されている。
【特許文献１】特開２００２−１３１８０６号公報
【特許文献２】特開平８−２７９９５２号公報
【特許文献３】特開２００２−２４４１９０号公報
【手続補正５】
【補正対象書類名】明細書
【補正対象項目名】０００９
【補正方法】変更
【補正の内容】
【０００９】
上記の課題を解決するために、本発明に係る第１の撮像装置は、撮像光学系により結像した被写体像を映像信号に変換する撮像手段と、第１および第２の外部電源供給系統からの電源供給が可能な電源手段と、を備え、第１の外部電源供給系から電源供給された場合と第２の外部電源供給系から電源供給された場合とは、異なる制御モードで動作することを特徴とする。ここで、好ましくは、外部電源供給系統を検出する検出手段を備え、該検出手段の検出結果に基づいて前記制御モードを自動設定する。検出手段は、例えば専用ＡＣアダプタのプラグの抜き差しに応じてオンオフするスイッチ、またはＡＣ電源のオンオフを検出するものを用いることができる。
【手続補正６】
【補正対象書類名】明細書
【補正対象項目名】００１０
【補正方法】変更
【補正の内容】
【００１０】
本発明に係る第２の撮像装置は、撮像光学系により結像した被写体像を映像信号に変換する撮像手段と、複数の外部電源供給系からの電源供給が可能な電源手段と、を備え、電源供給する外部電源供給源が供給可能な最大電力情報を検出する最大電力検出手段と、当該撮像装置の消費電力を機能別に分割した機能別消費電力情報を記憶する記憶手段と、前記記憶手段の情報に基づいて、同時に実行させる機能を、前記最大電力検出手段から得られた最大電力を超えない範囲で選択または設定して当該撮像装置の動作を制御する制御手段と、を備えることを特徴とする。
【手続補正７】
【補正対象書類名】明細書
【補正対象項目名】００１１
【補正方法】変更
【補正の内容】
【００１１】
本発明に係る第３の撮像装置は、撮像システムを構成するのに好適なもので、撮像光学系により結像した被写体像を映像信号に変換する撮像手段と、複数の外部電源供給系からの電源供給が可能な電源手段と、を備えた撮像装置において、当該撮像装置の消費電力を機能別に分割した機能別消費電力情報を記憶する記憶手段と、当該撮像装置の外部から当該撮像装置の動作の制御を行なう制御装置との間で情報通信を行なう情報通信手段と、を備え、前記機能別消費電力情報を前記情報通信手段を用いて前記制御装置へ通知することを特徴とする。
【手続補正８】
【補正対象書類名】明細書
【補正対象項目名】００１２
【補正方法】変更
【補正の内容】
【００１２】
本発明に係る撮像システムは、撮像光学系により結像した被写体像を映像信号に変換する撮像手段と複数の外部電源供給系からの電源供給が可能な電源手段とを備えた撮像装置と、前記撮像装置の外部から該撮像装置の動作の制御を行なう制御装置と、前記撮像装置と前記制御装置との間で情報通信を行なう情報通信手段と、前記撮像装置の消費電力を機能別に分割した機能別消費電力情報を記憶する記憶手段と、を備え、前記制御装置は、前記機能別消費電力情報に基づいて、前記撮像装置の操作制御を行なうことを特徴とする。
【手続補正９】
【補正対象書類名】明細書
【補正対象項目名】００１３
【補正方法】変更
【補正の内容】
【００１３】
ここで、記憶手段は、撮像装置と制御装置のどちらに設けてもよい。撮像装置に設ける場合、該撮像装置の電源起動のとき、または前記制御装置からの転送要求に基づいて、該撮像装置から前記制御装置へ前記機能別消費電力情報の伝送を行なう。また、前記制御装置は、例えば、前記撮像装置に電源供給する外部電源供給源が供給可能な最大電力情報と前記機能別消費電力情報とに基づいて、前記撮像装置に同時に実行させる機能を、前記最大電力検出手段から得られた最大電力を超えない範囲で選択または設定して前記撮像装置の動作を制御する。
【手続補正１０】
【補正対象書類名】明細書
【補正対象項目名】００１４
【補正方法】変更
【補正の内容】
【００１４】
また、前記制御装置に設ける場合、前記記憶手段は撮像装置の機種ごと個別に規定されており、前記撮像装置は前記情報通信手段を用いて、撮像装置の機種を特定する撮像装置機種識別情報を前記制御装置へ通知し、前記制御装置は、前記撮像装置に電源供給する外部電源供給源が供給可能な最大電力情報と前記機能別消費電力情報とに基づいて、前記撮像装置に同時に実行させる機能を、前記最大電力検出手段から得られた最大電力を超えない範囲で選択または設定して前記撮像装置の動作を制御する。この場合、前記撮像装置は、前記撮像装置機種識別情報の伝送を、電源起動のとき、または前記制御装置からの転送要求に基づいて行なう。